(57)【特許請求の範囲】
【請求項１】
プレイヤの操作やゲームの状況に応じて、表示装置の画面上を所定形状のキャラクタを移動させるようにゲームの進行を制御し、ゲームの進行に応じて生成した１画面の画像データに基づいて前記表示装置の画面上に画像を表示するゲーム装置において、
前記キャラクタの移動方向、速度及び位置のデータを供給されて、前記キャラクタの移動方向と速度に対応させて、前記キャラクタの移動方向の反対側にて、前記キャラクタの残像を複数表示する表示位置を決定する残像表示位置決定手段と、
前記残像表示位置決定手段により表示位置が決定された各残像の透明度を決定する透明度決定手段と、
前記キャラクタの現在位置における形状データ、前記各残像の表示位置のデータ、前記各残像の透明度のデータを用いて、前記キャラクタの現在位置の形状と同一形状であって、前記キャラクタの現在位置からの距離が離れる程透明度が高くなるように設定された各残像の画像データを生成する残像データ生成手段と、
前記生成された各残像の画像データ、前記キャラクタの現在位置の画像データ、画面の背景画の画像データ及び画面上の他の表示物の画像データを用いて、前記各残像の透明度に応じて各残像の背景画が透ける状態に、１画面の画像データを合成する画像合成手段と
を有することを特徴とするゲーム装置。
【請求項２】
前記残像表示位置決定手段は、前記キャラクタの速度に応じて残像の表示間隔を変化させることを特徴とする請求項１記載のゲーム装置。
【請求項３】
前記残像表示位置決定手段は、前記キャラクタの速度に応じて表示する残像数を変えることを特徴とする請求項２記載のゲーム装置。
【請求項４】
表示画面上に表示されているキャラクタを現在表示位置からプレイヤの操作やゲームの状況に応じた指定表示位置へ移動させるように画像表示の制御を行う画像表示制御手段を有するゲーム装置における、前記画像表示制御手段が実行する画像制御方法であって、
前記キャラクタの移動方向のデータ、現在位置のデータ、現在から所定時間前までの位置データを取得して保持する第１のステップと、
前記保持した現在位置のデータ及び所定時間前の位置データに基づいて、前記キャラクタの移動速度を算出する第２のステップと、
算出された前記キャラクタの速度と前記キャラクタの移動方向のデータと現在位置のデータとに基づいて、前記キャラクタの残像の表示数又は表示間隔の少なくともいずれかと、前記キャラクタの移動方向と反対側にて前記各残像の表示位置とを決定する第３のステップと、
前記キャラクタの現在位置のデータと、前記各残像の表示位置とに基づいて、前記各残像の透明度を決定する第４のステップと、
前記キャラクタの現在位置における形状データと、前記各残像の表示位置のデータと、前記各残像の透明度のデータとに基づいて、現在位置における前記キャラクタの形状と同一形状であって、前記キャラクタの現在位置から距離が離れる程透明度が高くなるように設定された各残像の画像データを生成する第５のステップと、
前記生成された各残像の画像データ、前記キャラクタの現在位置の画像データ、画面の背景画の画像データ及び画面上の他の表示物の画像データを用いて、前記各残像の透明度に応じて各残像の背景画が透ける状態に、前記キャラクタ及び各残像の画像を表示画面上に表示させる第６のステップと、
を備えたことを特徴とする画像制御方法。
【請求項５】
前記キャラクタの移動速度に応じて、前記残像を表示する間隔を変化させることを特徴とする請求項４に記載の画像制御方法。
【請求項６】
前記キャラクタの速度に応じて表示する残像数を変えることを特徴とする請求項５に記載の画像制御方法。
【発明の詳細な説明】
【０００１】
【産業上の利用分野】
本発明はゲーム装置に係り、特に、ゲーム画面上を移動するキャラクタの残像を表示するゲーム装置に関する。
【０００２】
【従来の技術】
ゲーム装置、例えば、モニタテレビ，音声出力装置、入力パッド（入力装置）等を備えたテレビゲーム装置では、プレイヤは、モニタテレビの画面を見ながら入力パッドの各ボタン等を操作してゲームを行う。
【０００３】
テレビゲーム装置でプレイするゲームには、プレイヤの操作やゲームの状況に応じて、画面上を所定形状のキャラクタが移動しながら、ゲームが行われるものがある。
【０００４】
移動するキャラクタにスピード感を持たせるため、従来、移動中のキャラクタの後方にキャラクタの残像を表示することが行われている。
【０００５】
従来の、スピード感を持たせるための残像表示の一つの方法として、移動方向と移動速度に対応した残像のパターンを、必要な種類だけ、予め記憶しておき、キャラクタの移動方向と移動速度に対応した残像パターンを選択して、キャラクタの後方に表示する方法がある。
【０００６】
また、別の方法としては、一般的なモーションブラー表現を用いる方法として、動きを表現するためにキャラクタの形状を移動中に変化させ、キャラクタが移動中に通過した移動軌跡上で、通過時点でのキャラクタの形状を残像として表示する方法がある。
【０００７】
また、別の方法としては、キャラクタの後方に、キャラクタのパターンを点滅させて表示して、残像とする方法がある。
【０００８】
【発明が解決しようとする課題】
従来の、キャラクタの移動方向と移動速度に対応した残像パターンを選択して、キャラクタの後方に表示する方法では、キャラクタの移動方向と移動速度に応じた種類の残像パターンを記憶しておく必要がある。このため、キャラクタの移動の種類が多い場合、これに全て対応した残像パターンを持とうとすると、残像パターンのデータ量が大きくなり、必要なメモリ容量が大きくなるという問題がある。逆に、残像パターンの種類を制限すると、キャラクタの動きの方向と速度の種類も制限されてしまう。
【０００９】
また、一般的なモーションブラー表現を用いる方法では、キャラクタの通過軌跡上に表示される残像は、残像の表示位置を通過したときの形状であるため、キャラクタの形状変化が目につき、スピード感の強調性が弱いという問題がある。また、キャラクタの後方に表示する残像の数を少なくすると、隣接する残像間の形状変化が大きくなり、動きがうまく表現されないという問題がある。また、キャラクタの移動中の形状変化等を複雑な処理で算出する必要があるため、ゲーム装置に高い処理能力が要求されるという問題がある。
【００１０】
また、キャラクタの後方に、キャラクタのパターンを点滅させて表示して、残像とする方法では、ちらつきが目立って残像としての表現がうまくできないという問題がある。
【００１１】
特に透明度の制御をキャラクタパターンの点滅で行う方法においては、その透明度合いは、専らその点滅の時間的な間隔の長短よるところが大きく、その時間的な間隔を広げすぎると残像としての効果を奏することができず、また、最も狭い点滅間隔は垂直同期信号毎の点滅に限られ、それ以上細かい点滅はできない。従って、多様な透明感を表現することは非常に困難である。
【００１２】
本発明は、上記の点に鑑みてなされたもので、少ないデータ容量で、複雑な処理を必要とすることなく、効果的な残像表現のできるゲーム装置を提供することを目的とする。
【００１３】
【課題を解決するための手段】
図１は本発明の原理構成図を示す。図１に示すように、請求項１の発明では、プレイヤの操作やゲームの状況に応じて、表示装置の画面上を所定形状のキャラクタを移動させるようにゲームの進行を制御し、ゲームの進行に応じて生成した１画面の画像データに基づいて前記表示装置の画面上に画像を表示するゲーム装置において、
残像表示位置決定手段１は、前記キャラクタの移動方向、速度及び位置のデータを供給されて、前記キャラクタの移動方向と速度に対応させて、前記キャラクタの移動方向の反対側にて、前記キャラクタの残像を複数表示する表示位置を決定する。
【００１４】
透明度決定手段２は、前記残像表示位置決定手段により表示位置が決定された各残像の透明度を決定する。
【００１５】
残像データ生成手段３は、前記キャラクタの形状データ、前記各残像の表示位置のデータ、前記各残像の透明度のデータを用いて、前記キャラクタと同一形状である各残像の画像データを生成する。
【００１６】
画像合成手段４は、前記生成された各残像の画像データ、前記キャラクタの画像データ、画面の背景画の画像データ及び画面上の他の表示物の画像データを用いて、前記各残像の透明度に応じて各残像の背景画が透ける状態に、１画面の画像データを合成する。
【００１７】
請求項２の発明では、前記残像表示位置決定手段１は、前記キャラクタの速度に応じて残像の表示間隔を変化させる。
【００１８】
請求項３の発明では、前記残像表示位置決定手段１は、前記キャラクタの速度に応じて表示する残像数を変化させる。
【００１９】
請求項４の発明では、前記透明度決定手段２は、前記各残像の透明度を前記キャラクタの位置からの距離に応じて変える。
【００２０】
請求項５の発明では、前記キャラクタの形状は、前記キャラクタの移動中に、縮小又は拡大され、前記残像データ生成手段３は、前記キャラクタが残像表示位置を通過したときの大きさの残像の画像データを生成する。
【００２１】
請求項6の発明は、表示画面上に表示されているキャラクタを現在表示位置からプレイヤの操作やゲームの状況に応じた指定表示位置へ移動させるように画像表示の制御を行う画像表示制御手段を有するゲーム装置における、前記画像表示制御手段が実行する画像制御方法であって、
前記キャラクタの移動方向、速度、位置を取得する第１のステップと、
前記キャラクタの移動方向と速度に応じて、前記キャラクタの移動方向の反対側に前記キャラクタの現在位置のキャラクターと同一形状の残像を複数表示する表示位置を決定する第２のステップと、
前記各残像の透明度を決定する第３のステップと、
前記キャラクタと前記残像を表示画面上に表示する第４のステップと、
を備えたことを特徴とする画像制御方法である。
【００２２】
請求項７の発明は、前記キャラクタの移動速度に応じて、前記残像を表示する間隔を変化させることを特徴とする画像制御方法である。
【００２３】
請求項８の発明は、前記キャラクタの速度に応じて表示する残像数を変えることを特徴とする画像制御方法である。
【００２４】
請求項９の発明は、前記キャラクタからの距離に応じて、前記残像の透明度を変化させることを特徴とする画像制御方法である。
【００２５】
請求項１０の発明は、前記キャラクタの形状がキャラクタの移動中に縮小又は拡大される場合に、前記残像は前記キャラクタが前記残像表示位置を通過したときの大きさの残像を表示することを特徴とする画像制御方法である。
【００２６】
【作用】
請求項１の発明では、キャラクタの移動方向と速度に対応して、残像の表示位置を決定し、決定した表示位置に、キャラクタと同一形状の残像を複数表示する。このため、キャラクタの移動方向と速度に応じて異なる種類の残像パターンを持つ必要がなく、必要なデータ容量を削減することを可能とし、また、データ容量を増やすことなく、キャラクタのあらゆる移動方向，速度に対応した残像を表示することを可能とする。また、複雑な処理を行うことなく残像を表示することを可能とする。
【００２７】
また、速度に応じて、残像の表示位置を変え、かつ、各残像を半透明で表示できるため、従来装置よりも効果的にキャラクタの速度感を表現することを可能とする。
【００２８】
請求項２の発明では、キャラクタの速度に応じて残像の表示間隔を変化させるため、キャラクタの速度感を強調して表現することを可能とする。
【００２９】
請求項３の発明では、更にキャラクタの速度に応じて表示する残像数を変えるため、キャラクタの速度感を強調して表現することを可能とする。
【００３０】
請求項４の発明では、各残像の透明度をキャラクタの位置からの距離に応じて変えるため、キャラクタの速度感をより効果的に表現することを可能とする。
【００３１】
請求項５の発明では、キャラクタの移動中に、キャラクタが縮小又は拡大される場合に、残像を半透明で表示できるため、キャラクタの縮小又は拡大によるキャラクタ内の絵の乱れを目立たなくすることを可能とする。
【００３２】
また、請求項６乃至請求項１０の発明においても、請求項１乃至請求項５の発明と同様に効果的な残像画像を生成する。
【００３３】
【実施例】
図２は本発明の一実施例のゲーム装置１１の構成図を示す。ゲーム装置１１は、ゲーム装置本体１２、入力パッド２５、モニタテレビ２２、オーディオアンプ２３、スピーカ２４から構成される。
【００３４】
ゲーム装置本体１２は、全体の制御を行うＣＰＵ（中央処理装置）１３、システムプログラムや固定のデータ等が格納されたＲＯＭ１４、各種データの一時格納や、各種作業を行うためのＲＡＭ１５、タイマ１６、ＣＤ−ＲＯＭ装置１７、ＣＰＵ１３に制御されてモニタテレビ（表示装置）２２にビデオ信号を供給するビデオジェネレータ１８、オーディオ信号を生成するサウンドジェネレータ１９を備えている。
【００３５】
サウンドジェネレータ１９で生成されたオーディオ信号はオーディオアンプ２３で増幅されて、スピーカ２４から音声が出力される。
【００３６】
ゲーム操作用の入力装置としての入力パッド２５は、スタートボタン、方向ボタン、攻撃ボタン等の入力ボタンを備えている。
【００３７】
ＣＤ−ＲＯＭ２６に記録されているゲームプログラムのデータは、ＣＤ−ＲＯＭ装置１７で再生されて、ＣＰＵ１３により読み込まれて、ＲＡＭ１５に格納される。
【００３８】
ＣＰＵ１３は、ＲＡＭ１５に格納されたゲームプログラムに従い、プレイヤーが行う入力パッド２５の操作に応じてゲームの進行を制御する。ＣＰＵ１３は、このゲームの進行に合わせてビデオジェネレータ１８に画像データを供給して、モニタテレビ２２の画面にゲーム画像を表示させ、また、ゲームの進行に合わせてサウンドジェネレータ１９にオーディオ信号を生成させて、スピーカ２４からゲームの効果音を出力させる。
【００３９】
次に、ゲーム装置１１における、キャラクタの残像の表示について説明する。ここでは、ゲーム装置１１が、ゲームプログラムに従って、プレイヤの操作やゲームの状況に応じて、モニタテレビ２２の画面上を所定形状のキャラクタを移動させながら、ゲームの進行を制御する場合について考える。
【００４０】
図３は、ＣＰＵ１３により実行される、キャラクタの残像を含む画像データを生成する手順を示すフローチャートである。また、図４，図５は、キャラクタと残像の表示例を示す。
【００４１】
プレイヤーがゲームプログラムのＣＤ−ＲＯＭ２６をＣＤ−ＲＯＭ装置１７にセットして、ゲーム装置１１の電源をオンにすると、ＣＰＵ１３は、ゲームプログラムをＣＤ−ＲＯＭ装置１７から読み込み、ＲＡＭ１５に格納する。この後、ＣＰＵ１３は、ゲームプログラムの処理を開始する。
【００４２】
ゲーム中、ＣＰＵ１３は、プレイヤの操作やゲームの状況に応じて、プレイヤが操作するキャラクタの位置，形状等のデータの更新、背景画のデータの更新、他のキャラクタのデータの更新、効果音の生成等の各種処理を行う。このゲーム中の各種処理と共に、所定時間ごと（例えば、１フレームごと）に、図３の画像データの生成処理を行う。
【００４３】
図３において、ステップ１０４及びステップ１０５が残像表示位置決定手段に相当し、ステップ１０６が透明度決定手段に相当し、ステップ１０７が残像データ生成手段に相当し、ステップ１０８が画像合成手段に相当する。
【００４４】
図３のステップ１０１では、ＣＰＵ１３は、キャラクタの移動方向を検出する。キャラクタの移動方向は、プレイヤの入力パッド２５の操作方向、及びゲームプログラムによるキャラクタの位置の制御により決まる。
【００４５】
ステップ１０２では、キャラクタの画面上の現在位置を検出して、現在位置のデータと、現在から所定時間前までの位置のデータを保持する。例えば、現在から、１／６０秒ごとに、数秒前までの位置のデータを保持する。なお、時間の管理は、タイマ１６の時間データを用いて行うことができる。
【００４６】
ステップ１０３では、ステップ１０２で保持しているキャラクタの位置のデータを用いて、キャラクタの移動速度を算出する。例えば、キャラクタの現在位置と所定時間前（例えば、１／６０秒前）の位置のデータを用いて、移動距離と移動に要した時間から、移動速度を算出する。
【００４７】
ステップ１０４では、ステップ１０３で算出されたキャラクタの速度に対応して、キャラクタの後方（移動方向と反対側）に表示する残像数と残像の表示間隔を決定する。例えば、キャラクタの速度が速い程、表示する残像数を多くし、また、キャラクタから離れる程、隣接する残像の間隔を広くすることにより、キャラクタのスピード感を強調して表現することができる。本実施例では、残像の形状は、キャラクタの形状と同一形状としている。
【００４８】
図４，図５は、キャラクタがランナーの場合の例で、図４は、キャラクタのＡ方向への速度が遅い場合のキャラクタと残像の表示例を示しており、図５は、キャラクタのＡ方向への速度が速い場合のキャラクタと残像の表示例を示している。図４では、キャラクタの現在位置のパターンＰS0と５個の残像のパターンＲS1〜ＲS5が表示されている。また、図５では、キャラクタの現在位置のパターンＰF0と、図４よりも速度が速いことにより、１０個の残像のパターンＲF1〜ＲF10が表示されている。
【００４９】
なお、ステップ１０４では、表示する残像数と、残像の表示間隔のみを決めており、キャラクタの形状、残像の形状については特定していない。
【００５０】
また、表示する残像数を一定として、速度が速くなる程、残像の表示間隔を広くする方法でも、スピード感を表現することができる。
【００５１】
ステップ１０５では、前記検出された移動方向のデータと現在位置のデータ、ステップ１０４で決めた残像数と表示間隔のデータとを用いて、画面上での各残像の表示位置を算出する。
【００５２】
ステップ１０６では、表示すべき各残像の透明度を決定する。例えば、キャラクタの現在位置から離れる程、透明度を高くして、背景画がより透けて見えるように決める。これにより、キャラクタのスピード感をより強調して表現することができる。
【００５３】
図４の例では、キャラクタの現在位置のパターンＰS0は不透明で、５個の残像のパターンＲS1〜ＲS5は、キャラクタの現在位置から離れる程、透明度が高く設定されており、背景画がより透けて見える。図５の例も、図４と同様である。
【００５４】
ステップ１０７では、キャラクタの形状データ、ステップ１０５で決定した各残像の表示位置のデータ、ステップ１０６で決定した各残像の透明度のデータを用いて、画面上における各残像の画像データを生成する。図４，図５の例に示すように、残像の形状は、現在位置のキャラクタの形状と同一形状としている。一つの残像の画像データは、残像パターン中の各ドットに関する、Ｒ，Ｇ，Ｂの３色のデータで構成される。
【００５５】
ステップ１０８では、現在位置のキャラクタの画像データ、ステップ１０７で生成された各残像の画像データ、画面の背景画の画像データ及び画面上の他のキャラクタの画像データを用いて、前記各残像の透明度に応じて各残像の背景画が透ける状態に、１画面の画像データを合成する。
【００５６】
ステップ１０９では、ステップ１０８で合成した１画面の画像データを、ビデオジェネレータ１８に供給して、モニタテレビ２２の画面上に合成結果の画像を表示させる。
【００５７】
図４は、合成された１画面の画像データに基づいて表示された例としての画像４１を示している。図４では、現在位置のキャラクタのパターンＰS0は不透明で、背景画４２は見えず、残像のパターンＲS1〜ＲS5では、キャラクタの現在位置から離れる程、透明度が高くなって、背景画４２がより透けて見える。なお、残像パターン同士の重なり部分は、後方の残像のパターンが隠れるように画像データを合成している。図５の例も図４と同様であるが、キャラクタの速度が速い分、残像のパターンＲF1〜ＲF10 が多く表示されている。
【００５８】
なお、ビデオジェネレータ１８に透明表現機能を持たせておき、ＣＰＵ１３から、ビデオジェネレータ１８への透明度の指定に応じて、ビデオジェネレータ１８にて、透明性を持つ残像と他の画像とを合成する構成とすることもできる。
【００５９】
前記のように、本実施例によれば、キャラクタの移動方向と速度に対応して、残像の表示位置を決定し、決定した表示位置に、キャラクタと同一形状の残像を複数表示する。このため、キャラクタの移動方向と速度に応じて異なる種類の残像パターンを持つ必要がなく、必要なデータ容量を削減することができる。また、データ容量を増やすことなく、キャラクタのあらゆる移動方向，速度に対応した残像を表示することができる。
【００６０】
また、一般のモーションブラー表現の方法のような複雑な処理を必要とせず、残像表現に伴うＣＰＵ１３の負担を小さくすることができる。
【００６１】
また、速度に応じて、表示する残像数と残像の表示間隔を変えるため、キャラクタのスピード感を強調して表現することができる。また、各残像の透明度をキャラクタの位置からの距離に応じて変えるため、キャラクタのスピードをより効果的に表現することができる。
【００６２】
なお、キャラクタをポリゴンモデルで表示する場合には、キャラクタの３次元形状が視点の変化に応じて変化するが、本実施例では、残像を現在位置のキャラクタと同一形状としているため、キャラクタと同様に残像の３次元形状を変化させることが容易に実現できる。
【００６３】
図６は、ズームアニメーションの際に、半透明表示による残像表示を適用した場合の説明図を示す。図６の例は、球形のキャラクタが、Ｃ方向への移動に伴い、ズームで縮小される場合であり、移動終了後のキャラクタパターンＰZ0の後方の移動軌跡上に、残像パターンＲZ1〜ＲZ4を半透明で表示する。なお、残像パターンＲZ4は、キャラクタの移動開始時の位置にある。
【００６４】
残像の表示手順としては、例えば、キャラクタの移動開始時に、移動方向、移動速度、移動終了点までの移動距離のデータを取得しておき、これらのデータを基に、移動軌跡上の残像の表示位置、残像数、各残像の透明度を決定しておく。
キャラクタの移動が開始された後は、キャラクタの移動に伴い、残像を１個ずつ表示させる。このため、表示すべき各残像ごとに、キャラクタが残像表示ポイントを通過したときのキャラクタの形状を保持し、この保持したキャラクタのパターンデータを用いて予め決めた透明度の残像データを生成し、この後、背景画と合成した画像データを生成して、画面に表示させる。
【００６５】
このように、キャラクタの移動中に、キャラクタが縮小又は拡大される場合に、残像を半透明で表示できるため、キャラクタの縮小又は拡大によるキャラクタ内の絵の乱れを目立たなくすることができる。特にキャラクタの縮小時に、ドットを間引くことによる色飛び等の絵の乱れを目立たなくすることができる。
【００６６】
なお、ＣＤ−ＲＯＭ２６の代わりに、ゲーム装置本体１２に装着されるカートリッジから、ゲームプログラムをＲＡＭ１５に読み込んで、プログラムを実行する構成とすることもできる。
【００６７】
【発明の効果】
上述の如く、請求項１の発明によれば、キャラクタの移動方向と速度に対応して、残像の表示位置を決定し、決定した表示位置に、キャラクタと同一形状の残像を複数表示するため、キャラクタの移動方向と速度に応じて異なる種類の残像パターンを持つ必要がなく、必要なデータ容量を削減することができ、また、データ容量を増やすことなく、キャラクタのあらゆる移動方向，速度に対応した残像を表示することができ、また、複雑な処理を行うことなく残像を表示することができる。
【００６８】
また、速度に応じて、残像の表示位置を変え、かつ、各残像を半透明で表示できるため、従来装置よりも効果的にキャラクタの速度感を表現することができる。
【００６９】
請求項２の発明によれば、キャラクタの速度に応じて表示する残像数を変えるため、キャラクタの速度感を強調して表現することができる。
【００７０】
請求項３の発明によれば、キャラクタの速度に応じて表示する各残像の間隔を変えるため、キャラクタの速度感を強調して表現することができる。
【００７１】
請求項４の発明によれば、各残像の透明度をキャラクタの位置からの距離に応じて変えるため、キャラクタの速度感をより効果的に表現することができる。
【００７２】
請求項５の発明によれば、キャラクタの移動中に、キャラクタが縮小又は拡大される場合に、残像を半透明で表示できるため、キャラクタの縮小又は拡大によるキャラクタ内の絵の乱れを目立たなくすることができる。
【００７３】
また、請求項６乃至請求項１０の発明においても、請求項２乃至請求項６の発明と同様に効果的な残像画像を生成することが可能となる。
【図面の簡単な説明】
【図１】本発明の原理構成図である。
【図２】本発明の一実施例のゲーム装置の構成図である。
【図３】キャラクタの残像を含む画像データを生成する手順を示すフローチャートである。
【図４】速度が遅く場合の、キャラクタと残像の表示例を示す図である。
【図５】速度が速い場合の、キャラクタと残像の表示例を示す図である。
【図６】ズームアニメーションの際に、半透明表示による残像表示を適用した場合の説明図である。
【符号の説明】
１  残像表示位置決定手段
２  透明度決定手段
３  残像データ生成手段
４  画像合成手段
１１  ゲーム装置
１２  ゲーム装置本体
１３  ＣＰＵ
１４  ＲＯＭ
１５  ＲＡＭ
１６  タイマ
１７  ＣＤ−ＲＯＭ装置
１８  ビデオジェネレータ
１９  サウンドジェネレータ
２２  モニタテレビ
２３  オーディオアンプ
２４  スピーカ
２５  入力パッド
２６  ＣＤ−ＲＯＭ
【図１】
0004067138.tif 000002
【図２】
0004067138.tif 000003
【図３】
0004067138.tif 000004
【図４】
0004067138.tif 000005
【図５】
0004067138.tif 000006
【図６】
0004067138.tif 000007